(57)【要約】【課題】撮像装置に対して回動可能に連結された３次元表示可能な表示装置が、レンズと同方向を向いた状態の場合、表示装置の映像を確認する際に、映像の視認が困難になる。【解決手段】撮像手段と、前記撮像手段を備える本体部と、視差を付けることにより映像を立体的に視認させる３次元表示可能な表示手段を備え、前記本体部に対して回動可能に連結された表示部と、前記本体部に対する前記表示部の位置を検出する検出手段と、前記表示手段で前記３次元表示を行っていた状態から、前記検出手段により、前記表示手段の表示面が前記撮像手段の撮像面と同一方向を向く位置であることが検出されると、前記表示手段での表示を２次元表示に切替えるように制御する制御手段とを有することを特徴とする。【選択図】図１
2016021670.tif 000002
【特許請求の範囲】
【請求項１】
撮像手段と、
前記撮像手段を備える本体部と、
視差を付けることにより映像を立体的に視認させる３次元表示可能な表示手段を備え、前記本体部に対して回動可能に連結された表示部と、
前記本体部に対する前記表示部の位置を検出する検出手段と、
前記表示手段で前記３次元表示を行っていた状態から、前記検出手段により、前記表示手段の表示面が前記撮像手段の撮像面と同一方向を向く位置であることが検出されると、前記表示手段での表示を２次元表示に切替えるように制御する制御手段と
を有することを特徴とする撮像装置。
【請求項２】
前記検出手段は、前記表示部の開閉状態を検出する開閉検出手段と、前記表示手段の回転状態を検出する回転検出手段であって、
前記開閉検出手段により、前記表示部が開状態かつ、前記回転検出手段により、前記表示部が回転状態であることを検出すると、
３次元表示されている前記表示手段を２次元表示に切替えることを特徴とする請求項１に記載の撮像装置。
【請求項３】
前記表示手段の観察者が映像を立体的に視認することができる位置にいるかを判断する立体視認適正位置判断手段を備え、
前記表示手段が２次元表示である場合、
前記立体視認適正位置判断手段により、観察者が映像を立体的に視認することができる位置にいると判断されると、
前記表示手段を３次元表示に切替えることを特徴とする請求項１又は請求項２に記載の撮像装置。
【請求項４】
前記立体視認適正位置判断手段は、
前記表示手段上にタッチパネルを配置し、
前記タッチパネルにタッチされたかを検出する入力検出手段であって、
前記表示手段が２次元表示である場合、
前記入力検出手段が前記タッチパネルへ入力されたことを検出すると、
前記表示手段を３次元表示に切替えることを特徴とする請求項１及至請求項３の何れか一項に記載の撮像装置。
【請求項５】
前記立体視認適正位置判断手段は、
撮影画像データに含まれる人物の顔を検出する顔検出手段と、
前記撮像装置と被写体の距離を計測する測距手段と、
前記表示手段に対する前記顔検出手段で検出した顔の位置を検出する顔位置検出手段であって、
前記表示手段が２次元表示である場合、
前記顔検出手段により顔を検出し、前記測距手段により顔との距離が所定範囲内であること、前記顔位置検出手段により顔の位置が所定範囲内であることを検出すると、
前記表示手段を３次元表示に切替えることを特徴とする請求項１及至請求項３の何れか一項に記載の撮像装置。
【請求項６】
撮影を行うための撮影モードと映像を再生するための再生モードを選択する動作モード選択手段を備え、
前記動作モード選択手段により前記撮影モードが選択されると、
前記表示手段の表示切替え制御を行うことを特徴とする請求項１及至請求項５の何れか一項に記載の撮像装置。
【発明の詳細な説明】
【技術分野】
【０００１】
本発明は、立体映像表示可能な表示手段を有した撮像装置に関するものである。
【背景技術】
【０００２】
近年の立体映像の視認環境の普及に伴い、好適な立体映像の撮像装置が要求されている。人間は、右目において視認される像と、左目において視認される像とを脳が合成することによって、視認される物体を立体像として認識している。つまり、右目と左目とが異なる角度からその物体を視認することによる、右目において視認される像と、左目において視認される像との相違によって実現されている。
【０００３】
このため、立体映像の撮像装置は、一般的に左右の視差に応じた映像情報を各々記録する必要がある。また、立体映像を視認するためには、記録された左右の視差に応じた映像情報を、左右の目に対して各々独立して伝達する必要がある。このため、右目用の視差を有した右目用映像、左目用の視差を有した左目用映像から、立体映像を視認する手段として以下に示す様々な表示装置が提案されている。
【０００４】
立体映像を表示する表示装置としては、従来、右目用映像と左目用映像を交互に表示し、表示映像と同期したシャッターによって左右を分離する液晶シャッター方式、右目用映像と左目用映像の偏光方向を違え、偏光フィルターによって分離する偏光方式，赤青のメガネを用いるアナグリフ方式などがある。また、裸眼で立体映像を表示する表示装置としては、液晶表示パネルの１列置きの画素に左目用映像を、他の１列置きの画素に右目用映像を表示し、その左目用映像と右目用映像とを、液晶表示パネルの一方の列の画素からの出射光と他方の列の画素からの出射光とを表示観察者の左目方向と右目方向とに振り分けるレンチキュラーレンズ方式。あるいは液晶表示パネルの画素行と平行な複数の透過部と遮光部が交互に並べてストライプ状に形成されたパララックスバリアを介して観察者の左目と右目とに観察させるようにした視差バリア方式。また、右目用映像と左目用映像の表示切替えタイミングに同期して、時分割的に交互にバックライトの光を右目方向と左目方向とに振り分ける、バックライトでの時分割方式が提案されている。
【０００５】
このような技術を用いることで立体映像表示を実現することができる。しかしながら、立体映像は、観賞時の条件（例えば、視距離や視角度など）が合っていないと視認しづらくなるという課題がある。具体的な条件は、立体映像表示の方式、使用するデバイスによってことなるが、小型表示装置の立体映像表示の適正視距離は３０ｃｍ〜１ｍ、適正視角度は正面±５°が一般的である。
【０００６】
このような立体映像を表示する表示装置において、表示装置の表示画面方向に応じて立体映像表示に関する切替え制御を行う、特許文献１が開示されている。これは、表示装置の表示画面方向（縦、横）を検出し、表示画面方向に対応して視差バリアパネルの液晶分子の配向方向を変え、立体表示に適した配向としている。さらに、表示画面方向に対応して立体映像表示を行うか否かを切替えている。また、このような立体映像を表示する表示装置において、特許文献２が開示されている。これは、立体映像を撮影する際の被写体の状態が立体映像を視認するのに不適な状態で撮影された場合は、再生表示は立体映像表示を行わない。
【先行技術文献】
【特許文献】
【０００７】
【特許文献１】特開２０１０−１７５６４３号公報
【特許文献２】特開２００５−１６７３１０号公報
【発明の概要】
【発明が解決しようとする課題】
【０００８】
しかしながら、上述の特許文献１に開示された従来技術では、表示装置の表示画面方向ではなく、表示装置の姿勢を変えることができる装置については何ら言及されていない。また、上述の特許文献２に開示された従来技術では、表示装置と観察者の関係については何ら言及されていない。例えば、表示装置を装置本体に対して、開閉可能かつ回転可能な撮像装置の場合である。撮像装置には撮影中の映像や再生した映像を表示するための表示装置が設けられており、この表示装置はヒンジ部によって、開閉自在及び回転自在に撮像装置本体に配されている。
【０００９】
表示装置が撮影者側に向いた通常撮影状態の場合、表示装置を観察するのは撮影者であるため、常に立体映像を視認するのに適した位置にいることになる（適正視距離、適正視角度）。以下、立体映像を視認するのに適した位置のことを、「３Ｄ視認適正位置」とする。しかし、表示装置が被写体側つまりレンズと同方向を向いた対面撮影状態においては、表示装置を観察する人は、自分撮りを行う撮影者や、被写体となる人物であり、表示装置に対して様々な位置にいることが想定される。つまり、対面撮影状態においては、３Ｄ視認適正位置にいない場面が多い。そのため、表示装置の映像を確認する際に、映像を視認しづらくなるという課題がある。
【００１０】
そこで、本発明の目的は、対面撮影状態において、立体映像を表示可能な表示装置の表示を確認する際の視認性を高める撮像装置を提供することである。
【課題を解決するための手段】
【００１１】
上記目的を達成するために、本発明の構成は、撮像手段と、前記撮像手段を備える本体部と、視差を付けることにより映像を立体的に視認させる３次元表示可能な表示手段を備え、前記本体部に対して回動可能に連結された表示部と、前記本体部に対する前記表示部の位置を検出する検出手段と、前記表示手段で前記３次元表示を行っていた状態から、前記検出手段により、前記表示手段の表示面が前記撮像手段の撮像面と同一方向を向く位置であることが検出されると、前記表示手段での表示を２次元表示に切替えるように制御する制御手段とを有することを特徴とする。
【発明の効果】
【００１２】
本発明によれば、対面撮影状態において、立体映像を表示可能な表示装置の表示を切り替えるため、表示映像を確認する際の視認性を向上することができる。
【図面の簡単な説明】
【００１３】
【図１】第１の実施例における撮像装置の構成を示すブロック図である。
【図２】撮像装置の外観斜視図である。
【図３】撮像装置の外観斜視図である。
【図４】第１の実施例における表示部に表示する映像の切替え制御手順を示すフローチャートである。
【図５】第２の実施例における撮像装置の構成を示すブロック図である。
【図６】第２の実施例における表示部に表示する映像の切替え制御手順を示すフローチャートである。
【図７】第３の実施例における撮像装置の構成を示すブロック図である。
【図８】第３の実施例における表示部に表示する映像の切替え制御手順を示すフローチャートである。
【図９】顔位置検出のパラメータテーブルの例である。
【図１０】表示部で表示される左目用画像と右目用画像と３次元画像の画素配列の例である
【図１１】視差バリアパネルのバリアパターン例である。
【図１２】視差バリアパネルのバリアパターンによる画像透過の仕組みの模式図である。
【発明を実施するための形態】
【００１４】
以下に、本発明の好ましい実施の形態を、添付の図面に基づいて詳細に説明する。
【００１５】
＜第１の実施形態＞
本発明の第１の実施の形態における撮像装置の構成について説明する。図１は請求項１及び請求項２の発明の実施の形態における撮像装置の構成を示すブロック図である。本発明の第１の実施の形態に係る撮像装置は、撮像素子１０１、カメラ信号処理部１０２、ビデオ信号処理部１０３、制御マイコン１０４、回転検出スイッチ１０５、開閉検出スイッチ１０６、液晶信号処理部１０７、２Ｄ３Ｄ表示切替部１０８、表示部１０９などから構成される。
【００１６】
図２及び図３は、本発明の第１の実施の形態に係る撮像装置の外観斜視図である。図２において、２０１は、レンズ２０２や撮像素子１０１などの撮像手段を内蔵し映像音声信号の記録再生が可能な機器本体であるビデオカメラ本体である。本実施例ではビデオカメラとしたが映像信号の記録再生が可能なものであればデジタルスチルカメラなどであってもよい。レンズ２０２は、立体映像を撮影するためのレンズ部であり、２０２Ｒが右目用映像を撮影する第１のレンズ、２０２Ｌが左目用映像を撮影する第２のレンズである。
【００１７】
図３において、１０９はビデオカメラ本体２０１に対して回動自在に設けられ再生映像や撮像映像を表示可能な表示部で、立体映像表示（以下、「３Ｄ表示」とする）と通常映像表示（以下、「２Ｄ表示」とする）が可能である。３０２は表示部１０９をビデオカメラ本体２０１に対して回動自在に保持するヒンジ部で、表示部１０９を矢印Ａ方向に開閉自在であるとともに、矢印Ｂ方向に回転自在となっている。以下、図３の状態を正転状態、正転状態から矢印Ａ方向に表示部１０９を閉じた状態を正転収納状態、図３の状態から矢印Ｂ方向で、レンズ２０２と同方向に表示部１０９を回転した状態を対面状態、対面状態から矢印Ａ方向に表示部１０９を閉じた状態を反転収納状態と言うこととする。
【００１８】
３０１は電源ボタンであり、電源ボタンを押すことで、ビデオカメラ２０１の電源をＯＮ／ＯＦＦすることができる。
【００１９】
以上のように構成された撮像装置の動作について説明する。制御マイコン１０４はビデオカメラ全体の制御及び演算処理を司る中央処理装置である。フラッシュメモリ内に記憶される圧縮されたプログラムが解凍されてプログラムメモリに展開され、制御マイコン１０４はプログラムメモリ内のプログラムに従って動作する。
【００２０】
カメラ信号処理部１０２は、撮像素子１０１から送られてきた電気信号の各種信号処理を施す。撮像素子１０１は、ビデオカメラ本体２０１のレンズ２０２を通して結像された画像を電気信号に変換するための光電変換素子である。ビデオ信号処理部１０３の圧縮伸張処理方式は、モーションＪＰＥＧのような、１枚１枚のコマを独立して圧縮符号化する動画符号化方式でも構わないし、ＭＰＥＧのような、コマによって独立して圧縮符号化したり、前後のコマの差分をとって圧縮符号化したり、また、複数のコマから予測して圧縮符号化したりする動画符号化方式でも構わない。
【００２１】
１０７は、入力される映像信号を表示部１０９に表示させるよう制御する液晶信号処理部である。液晶信号処理部１０７は、表示部１０９に３Ｄ表示と２Ｄ表示のどちらを行うかを切り替える２Ｄ３Ｄ表示切替部１０８も備えている。表示部１０９への映像表示のＯＮ／ＯＦＦや表示映像の反転処理は制御マイコン１０４により制御している。１０６、１０７は、表示部姿勢判断手段であり、本実施例では、回転検出スイッチ１０６と、開閉検出スイッチ１０７を用いる。開閉検出スイッチ１０７は、表示部１０９を図３の矢印Ａ方向に開閉したことを検出し、回転検出スイッチ１０６は、矢印Ｂ方向に回転したことを検出する。
【００２２】
次に、本実施例における表示部１０９の立体映像の視認方法について詳述する。本実施例では立体映像の視認方法として視差バリア方式を採用している。視差バリア方式の表示部１０９は、図１２に示すように、表示パネル１０９Ａと、視差バリアパネル１０９Ｂ、などから構成されることで、３Ｄ表示を実現している。
【００２３】
表示パネル１０９Ａは、液晶表示パネルなどから構成され、表示画像を表示する。視差バリアパネル１０９Ｂは、液晶表示パネルと同様の構成を有し、表示パネル１０９Ａにおける画像表示によって発生した光の透過を制御する。このため、視差バリアパネル１０９Ｂは、表示パネル１０９Ａと、表示パネル１０９Ａの表示画面を見る者（観察者）との間に位置するよう、表示部１０９内に構成されている。
【００２４】
このような構成の表示部１０９で３Ｄ表示をおこなう動作原理を、図１０と図１１を参照して説明する。視差バリアパネル１０９Ｂを用いて３Ｄ表示をおこなう場合、左目と右目の視差を利用する。このため、表示部１０９で３Ｄ表示をおこなう場合には、図１０に示すような左目用画像と右目用画像が用意される。左目用画像と右目用画像はいずれも同じ表示対象を示しているが、視差に応じて左右方向にずらしてある。ここで、左目用映像は、レンズ部２０２の第２のレンズ２０２Ｌによって撮影された映像であり、右目用映像は、レンズ部２０２の第１のレンズ２０２Ｒによって撮影された映像となる。
【００２５】
表示部１０９の表示パネル１０９Ａは、左目用画像を構成する画素と、右目用画像を構成する画素の表示位置を、左右方向に異ならせて交互に表示する。つまり、図１０下部に示すように、右目用画像を構成している画素を奇数列に、左目用画像を構成している画素を偶数列に配列した画像として表示させる。つまり、左目用画像と右目用画像のそれぞれを、１列（ライン）おきとなるよう画素配列させ、左目用画像と右目用画像とでラインが互い違いとなるよう表示させる。なお、画素配列のパターンは１列単位でなくてもよく、例えば、複数画素分でラインを構成してもよい。また、画素単位が整数値でなくてもよい。
【００２６】
そして、表示パネル１０９Ａは、このように左目用画像と右目用画像がストライプ状に配列された画像を表示する。ここで、左目用画像の画素で構成されているラインが観察者の左目に到達するようにし、右目用画像の画素で構成されているラインが観察者の右目に到達するように表示することで、図１０で示したような視差のある２つの画像がそれぞれに対応する目で認識されることになる。この結果、各画像が観察者の脳内で合成され、立体的な画像として視認される。
【００２７】
ここで、視差バリアパネル１０９Ｂは、３Ｄ画像内の各ラインをそれぞれに対応した目の方向に表示させる動作をおこなう。上述したように、視差バリアパネル１０９Ｂは、液晶表示パネルと同様の構造であるため、各画素に対応する電極への電圧印加を制御することで、表示パネル１０９Ａの画像表示によって発生した光を透過させたり、遮光したりすることができる。つまり、図１１に示すような、ストライプ上のバリアパターンを、表示パネル１０９Ａに表示されている３Ｄ画像のラインに対応するよう形成する。
【００２８】
そして、図１２に示すように、表示パネル１０９Ａに表示された左右それぞれの画素は、視差バリアパネル１０９Ｂに形成したバリアパターンの透過列を透過して、観察者の左右の目に到達する。このようにするためには、ストライプ（ライン、列）のそれぞれで透過／非透過（遮光）を適切に制御する必要がある。この場合、ストライプ（ライン、列）毎に印加電圧を制御することで、液晶分子の配向方向を変えればよい。この表示制御は、観察者の目から表示部１０９までの距離と、観察者の右目と左目の間隔によって変化する。２Ｄ表示をする場合は、表示パネル１０９Ａに左目用画像と右目用画像のどちらか一方の画像を表示し、視差バリアパネル１０９Ｂの透過／非透過（遮光）の制御において、全てのラインを透過にすることで可能である。
【００２９】
次に、本発明の第１の実施例における、表示部１０９に表示する映像の切替え制御方法について説明する。図４は請求項１及び請求項２の発明の実施例における、表示部１０９に表示する映像の切替え制御手順を示すフローチャートである。
【００３０】
本処理は、制御マイコン１０４によって実行される。図４において、電源が投入されると、開閉検出スイッチ１０７と回転検出スイッチ１０６によって、表示部１０９の姿勢を判定する（Ｓ４０１）。開閉検出スイッチ１０７が開状態、回転検出スイッチ１０６が回転していない状態を検出した正転状態の場合と、開閉検出スイッチ１０７が閉状態、回転検出スイッチ１０６が回転状態を検出した反転収納状態の場合はＳ４０４へ進む。そして、２Ｄ３Ｄ表示切替部１０８によって、表示パネル１０９Ａに左目用画像と右目用画像がストライプ状に配列された画像を表示し、視差バリアパネル１０９Ｂをストライプ状のパターンにして、表示部１０９の表示を３Ｄ表示とする（Ｓ４０７）。これは、正転状態と反転収納状態では、表示部１０９の観察者は撮影者であるため、常に３Ｄ視認適正位置にいることになるので３Ｄ表示とする。
【００３１】
また、Ｓ４０１で開閉検出スイッチ１０７が開状態、回転検出スイッチ１０６が回転状態を検出した対面状態の場合はＳ４０３へ進む。そして、２Ｄ３Ｄ表示切替部１０８によって、表示パネル１０９Ａに左目用画像と右目用画像のどちらか一方の画像を表示し、視差バリアパネル１０９Ｂを全透過パターンにして、表示部１０９の表示を２Ｄ表示とする（Ｓ４０６）。これは、対面状態での撮影では、表示部１０９の観察者は、撮るシチュエーションによって様々であり、３Ｄ視認適正位置にいない場面が多い。そのため、左目用の映像と右目用の映像が重なった映像を見ることになり、表示映像を視認するのが困難になる。そこで、２Ｄ表示をすることで表示映像を確認する際の視認性を向上させることが可能となる。
【００３２】
また、Ｓ４０１で開閉検出スイッチ１０７が閉状態、回転検出スイッチ１０６が回転していない状態を検出した正転収納状態の場合はＳ４０２へ進み、表示部１０９はＯＦＦとなり表示されない（Ｓ４０５）。
【００３３】
以上の処理を行った後、撮影あるいは再生が継続されているかどうかの判定を行い（Ｓ４０８）、電源が切断されて制御が終了するまで、Ｓ４０１の処理を繰り返す。電源が切断されると、本処理を終了する。
【００３４】
このように、第１の実施例におけるビデオカメラによれば、対面状態のときには、表示部１０９の表示を２Ｄ表示に切替えるため、対面状態で観察者がいかなる場所にいても表示映像の確認を確実に行うことができる。
【００３５】
＜第２の実施形態＞
次に、本発明の第２の実施例における、表示部１０９に表示する映像の切替え制御方法について説明する。第２の実施例の撮像装置の構成は、前記第１の実施例とほぼ同一であるので、同一の構成要素については同一の符号を用いることでその説明を省略し、ここでは異なる構成について説明する。
【００３６】
図５は請求項４の発明の実施例における撮像装置の構成を示すブロック図である。第１の実施例において、タッチパネル５０１とタッチパネル制御部５０２を追加し、表示部１０９上に配置されたタッチパネル５０１による入力動作を可能にしたものである。タッチパネル制御部５０２はタッチパネル５０１が押されると、入力座標を算出する。そして、制御マイコン１０４によって、座標位置に応じた処理がなされる。タッチパネル５０１は、抵抗膜方式や静電容量方式、表面弾性波方式、赤外線方式、電磁誘導方式、画像認識方式、光センサ方式等、様々な方式のタッチパネルのうちいずれの方式のものを用いても良い。
【００３７】
図６は請求項４の発明の実施例における、表示部１０９に表示する映像の切替え制御手順を示すフローチャートである。本処理は、制御マイコン１０４によって実行される。尚、図６のＳ６０１〜Ｓ６０６、Ｓ６０８は、実施例１で説明した図４のＳ４０１〜Ｓ４０７と同様の処理なので説明を省略する。
【００３８】
図６において、Ｓ６０７では、タッチパネル制御部５０２によってタッチパネル５０１の操作があるかないかを判定する。タッチパネル５０１の操作がない場合は、２Ｄ表示を続ける。タッチパネルの操作がなされた場合は、Ｓ６０８へ進む。そして、２Ｄ３Ｄ表示切替部１０８によって、表示部１０９の表示を３Ｄ表示に切替える（Ｓ６０８）。これは、対面状態での撮影では、表示部１０９の観察者は、撮るシチュエーションによって様々であり、３Ｄ視認適正位置にいない場面が多い。そのため、左目用の映像と右目用の映像が重なった映像を見ることになり、表示映像を視認するのが困難になるため２Ｄ表示としている。しかし、タッチパネルの操作をする場合は、観察者は３Ｄ視認適正位置にいることになるので３Ｄ表示に切替える。つまり、対面状態においても観察者が３Ｄ視認適正位置にいる場合は、３Ｄ表示にして、３Ｄ視認に適さない位置にいる場合は、２Ｄ表示にしているため、表示映像を確認する際の視認性を向上させることが可能となる。
【００３９】
以上の処理を行った後、撮影あるいは再生が継続されているかどうかの判定を行い（Ｓ６０９）、電源が切断されて制御が終了するまで、Ｓ６０１の処理を繰り返す。電源が切断されると、本処理を終了する。
【００４０】
また、タッチパネルの操作がなされた場合の３Ｄ表示期間は任意に選択できるようにしても良い。
【００４１】
このように、第２の実施例におけるビデオカメラによれば、対面状態のときには、表示部１０９の表示を２Ｄ表示に切替え、タッチパネルの操作をした場合は、３Ｄ表示に切替えるため、対面状態で観察者がいかなる場所にいても表示映像の確認を確実に行うことができる。
【００４２】
＜第３の実施形態＞
次に、本発明の第３の実施例における、表示部１０９に表示する映像の切替え制御方法について説明する。
【００４３】
第３の実施例の撮像装置の構成は、前記第１の実施例とほぼ同一であるので、同一の構成要素については同一の符号を用いることでその説明を省略し、ここでは異なる構成について説明する。
【００４４】
図７は請求項５及び請求項６の発明の実施例における撮像装置の構成を示すブロック図である。第１の実施例において、顔検出部７０１と測距部７０２と顔位置検出部７０３を追加し、画像データから被写体の顔の検出と、撮像装置と被写体との距離の計測と、表示部１０９に対する被写体の顔の位置を検出可能にしている。また、動作モード選択部７０４を追加し、撮影を行うための撮影モードと映像を再生するための再生モードを選択可能にしたものである。顔検出部７０１は画像データを用いて、画面内に人物の顔が存在するかを検出する。
【００４５】
人物の顔の検出方法としては、主成分分析による固有顔（ｅｉｇｅｎｆａｃｅ）法や、目、鼻、口等の特徴点を利用した方法が適用可能である。これらの方法は、入力画像と複数の標準パターンとのパターンマッチング法により入力画像が人物の顔であるかどうかを判定している。測距部７０２は、測距センサを用いて被写体との距離を算出する。また、被写体との距離は、ピントの合っているズーム位置情報からも算出可能である。また、距離センサが内蔵されている撮像素子を用いて計測するのでも良い。顔位置検出部７０３は、表示部１０９に対して、３Ｄ視認適正位置に顔があるかを検出する。
【００４６】
表示部１０９に対する顔の位置を検出する方法として、まず、顔検出部７０１で検出した顔と表示部１０９との距離と、ズーム位置情報を条件パラメータとする。そして、表示部１０９に対して顔が正面となる顔位置座標を、条件パラメータに応じて用意しておくことで検出可能である。本実施例では、図９に示すようなパラメータテーブルがプログラムメモリ内に格納されているものとする。必要となる条件は、使用する表示部１０９の３Ｄ視認条件により異なるので、適宜変更する必要がある。
【００４７】
図８は請求項５及び請求項６の発明の実施例における、表示部１０９に表示する映像の切替え制御手順を示すフローチャートである。本処理は、制御マイコン１０４によって実行される。尚、図８のＳ８０２〜Ｓ８０７、Ｓ８１１は、実施例１で説明した図４のＳ４０１〜Ｓ４０７と同様の処理なので説明を省略する。
【００４８】
図８において、Ｓ８０８では、顔検出部７０１で被写体の顔を検出する。人物の顔を検出するとＳ８０９へ進む。Ｓ８０９では、測距部７０２でＳ８０８で検出した顔との距離を計測する。ビデオカメラと顔との距離が３Ｄ表示の適正視距離範囲内であれば、Ｓ８１０に進む。本実施例では、３Ｄ視認適正視距離範囲は、３０ｃｍ〜１ｍとする。Ｓ８１０では、顔位置検出部７０３でＳ８０８で検出した顔が、表示部１０９に対して何処に位置するかを検出する。
【００４９】
顔の位置が３Ｄ表示の適正視角度範囲内であった場合は、２Ｄ３Ｄ表示切替部１０８によって、表示部１０９を３Ｄ表示に切替える（Ｓ８１１）。本実施例では、３Ｄ視認適正視角度範囲は正面のみとしている。Ｓ８０８で顔が検出されなかった場合と、８０９で被写体との距離が適正視距離から外れている場合と、Ｓ８１０で顔の位置が表示部１０９の適正視角度から外れている場合は、Ｓ８１２へ進む。撮影あるいは再生が継続されているかどうかの判定を行い（Ｓ８１２）、電源が切断されて制御が終了するまで、Ｓ８０１の処理を繰り返す。電源が切断されると、本処理を終了する。つまり、対面状態での撮影では、観察者が３Ｄ視認適正位置にいることを検出した場合は、３Ｄ表示に切替え、適正位置にいない場合は、２Ｄ表示に切替えているため、表示映像を確認する際の視認性を向上させることが可能となる。
【００５０】
以上の処理を行った後、撮影あるいは再生が継続されているかどうかの判定を行い（Ｓ８１２）、電源が切断されて制御が終了するまで、Ｓ８０１の処理を繰り返す。電源が切断されると、本処理を終了する。
【００５１】
このように、第３の実施例におけるビデオカメラによれば、撮影モードかつ対面状態のときには、表示部１０９の表示を２Ｄ表示に切替え、観察者が３Ｄ視認適正位置にいる場合は、３Ｄ表示に切替えるため、対面状態で観察者がいかなる場所にいても表示映像の確認を確実に行うことができる。
【００５２】
また、本実施例では、３Ｄ視認適正視距離範囲は３０ｃｍ〜１ｍとしているが、表示部として使用するデバイスによって異なるので、適宜変更する必要がある。また、本実施例では、３Ｄ視認適正角度として、顔位置が表示部１０９の正面となる場合のみのテーブルを用意しているが、３Ｄ視認角度が広い場合は、正面以外にも複数用意する必要がある。また、本実施例では、請求項５に基づいて動作モードと表示部１０９の姿勢によって２Ｄ表示と３Ｄ表示の切替えを行っているが、実施例１及び２の制御においても動作モードに応じた判断を追加しても良い。また、本実施例では、再生モードでは３Ｄ表示としているが、メニュー操作等で２Ｄ表示と３Ｄ表示を切替えられるようにしても良い。
【００５３】
また、上記実施例１〜３では、２Ｄ表示をする場合、表示パネル１０９Ａへの画像表示を左目用画像と右目用画像のどちらか一方の画像を表示するようにしているが、左目用画像と右目用画像からの合成画像を使用しても良い。また、上記実施例１〜３では、表示部１０９の表示切替えの判断を各実施例で個々に行っているが、上記実施例１〜３における判断を複合して使用しても良い。また、上記実施例１〜３では、立体映像の視認方法として視差バリア方式を用いているが、この方式に限られるものではなく、その他様々な立体映像表示方式に適用できる。
【００５４】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【００５５】
（他の実施形態）
上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行することでも本発明は実現可能である。この場合、そのプログラム、及び該プログラムを記憶した記憶媒体は本発明を構成することになる。
【符号の説明】
【００５６】
１０４  制御マイコン、１０５  回転検出スイッチ、１０６  開閉検出スイッチ、
１０７  液晶信号処理部、１０８  ２Ｄ３Ｄ表示切替部、１０９  表示部
【図１】
2016021670.tif 000003
【図２】
2016021670.tif 000004
【図３】
2016021670.tif 000005
【図４】
2016021670.tif 000006
【図５】
2016021670.tif 000007
【図６】
2016021670.tif 000008
【図７】
2016021670.tif 000009
【図８】
2016021670.tif 000010
【図９】
2016021670.tif 000011
【図１０】
2016021670.tif 000012
【図１１】
2016021670.tif 000013
【図１２】
2016021670.tif 000014